(57)【要約】【課題】  通信カードの機能を用いて表示画像データの出力を行うことができる撮像装置を提供する。【解決手段】  被写体光を撮像し撮像信号を出力する撮像部１２と、前記撮像信号に基づく動画データを記憶する記憶部２６と、前記動画データから表示画像データを生成する表示画像データ生成部２８，３２と、前記表示画像データの出力を行う機能を有する通信カード３６を装着するカードスロット３８と、前記通信カードの機能を用いて前記表示画像データの出力を行う出力制御部８とを備える。【選択図】  図１
2011078064.tif 000002
【特許請求の範囲】
【請求項１】
被写体光を撮像し撮像信号を出力する撮像部と、
前記撮像信号に基づく動画データを記憶する記憶部と、
前記動画データから表示画像データを生成する表示画像データ生成部と、
前記表示画像データの出力を行う機能を有する通信カードを装着するカードスロットと、
前記通信カードの機能を用いて前記表示画像データの出力を行う出力制御部と
を備えることを特徴とする撮像装置。
【請求項２】
装置本体に対して着脱可能に設けられた表示装置を備え、
前記出力制御部は、前記表示装置に対して前記表示画像データの出力を行うことを特徴とする請求項１記載の撮像装置。
【請求項３】
前記表示装置の着脱状態を検出する検出部を備え、
前記出力制御部は、前記検出部により前記表示装置が取外されたことが検出された場合に前記表示装置に対して前記表示画像データの出力を行うことを特徴とする請求項２記載の撮像装置。
【請求項４】
前記表示画像生成部は、前記通信カードの通信速度に応じた１秒当りのフレーム数を有する前記表示画像データを生成することを特徴とする請求項１〜３の何れか一項に記載の撮像装置。
【請求項５】
前記記憶部は、前記カードスロットに装着されたメモリカードであって、前記カードスロットは２以上設けられていることを特徴とする請求項１〜４の何れか一項に記載の撮像装置。
【請求項６】
前記表示装置は、前記表示装置が前記装置本体から取外されている場合に、前記装置本体に対する指示を送信する送信部を備えることを特徴とする請求項２〜５の何れか一項に記載の撮像装置。
【発明の詳細な説明】
【技術分野】
【０００１】
本発明は、撮像装置に関するものである。
【背景技術】
【０００２】
画像データを無線装置を介して表示装置に送信する撮像装置が知られている（例えば、特許文献１参照）。
【先行技術文献】
【特許文献】
【０００３】
【特許文献１】特開２００２−６２５７６号公報
【発明の概要】
【発明が解決しようとする課題】
【０００４】
しかし、この撮像装置においては装置本体側にハードウェアである無線装置を備えるため大型化しコストが上昇するという問題点があった。
【０００５】
本発明の目的は、通信カードの機能を用いて表示画像データの出力を行うことができる撮像装置を提供することである。
【課題を解決するための手段】
【０００６】
本発明の撮像装置は、被写体光を撮像し撮像信号を出力する撮像部と、前記撮像信号に基づく動画データを記憶する記憶部と、前記動画データから表示画像データを生成する表示画像データ生成部と、前記表示画像データの出力を行う機能を有する通信カードを装着するカードスロットと、前記通信カードの機能を用いて前記表示画像データの出力を行う出力制御部とを備えることを特徴とする。
【発明の効果】
【０００７】
本発明の撮像装置によれば、通信カードの機能を用いて表示画像データの出力を行うことができる。
【図面の簡単な説明】
【０００８】
【図１】本発明の実施の形態に係るカメラのシステム構成を示すブロック図である。
【図２】本発明の実施の形態に係るカメラの表示装置が本体から取外されている場合における動画撮影処理を示すフローチャートである。
【発明を実施するための形態】
【０００９】
以下、図面を参照して本発明の実施の形態に係るカメラについて説明する。図１は、実施の形態に係るカメラのシステム構成を示すブロック図である。カメラ２は装置本体４及び装置本体４に着脱可能に構成された表示装置６を備えている。
【００１０】
装置本体４は、ＣＰＵ８を備え、ＣＰＵ８には、画像処理部１６、撮像制御部１８、操作受付部２０、赤外線受光部２２、メモリカードスロット２４、表示画像生成部２８、接続検出部３８、電源制御部４０が接続されている。
【００１１】
撮像素子１２は、ＣＣＤ或いはＣＭＯＳ等により構成され、撮影レンズ１０を介した被写体光を撮像し撮像信号（蓄積電荷としてのアナログ信号）を生成する。Ａ／Ｄ変換部１４は、撮像素子１２から出力された撮像信号をＡ／Ｄ変換して画像データを生成する。また、画像処理部１６は、Ａ／Ｄ変換部１４から出力された画像データに対してホワイトバランス調整、輪郭補償、ガンマ補正等の画像処理を行う。操作受付部２０及び赤外線受光部２２は、表示装置６において行われた操作指示を受け付ける。また、撮像制御部１８は、操作受付部２０または赤外線受光部２２を介して入力された表示装置６における操作指示に基づいて撮像素子１２による撮像動作の制御を行う。ここで、表示装置６が装置本体４に取付けられている場合には操作受付部２０と表示装置６側の操作入力部５８が接し、操作指示は操作受付部２０を介して入力される。一方、表示装置６が装置本体４から取外されている場合には操作指示は表示装置６側の赤外線発光部６０から発光される赤外線を受光する赤外線受光部２２を介して入力される。
【００１２】
メモリカードスロット２４は、ＳＤカードやコンパクトフラッシュ（ＣＦ）等のメモリカード２６を装着するＳＤスロットやＣＦスロット等であり、メモリカード２６には撮像素子１２から出力された撮像信号に対して、画像処理部１６により画像処理が実施された画像データが記憶される。また、表示画像生成部２８は、表示装置６に表示させるために画像処理部１６から出力された画像データの画素数を例えば６４０×４８０等とする処理を行う。表示画像生成部２８により出力される表示画像データの出力先は、装置本体４と表示装置６との着脱状態に応じて異なる。即ち、表示装置６が装置本体４に取付けられている場合には接続部３０を介して表示装置６に出力する。一方、表示装置６が装置本体４から取外されている場合には間引き処理部３２により１秒当りのフレーム数を減らす間引き処理を行い通信カードスロット３４に装着された通信カード３６を介して表示装置６に出力する。ここで、通信カードスロット３４には、ＳＤカード規格であって通信機能を有する例えばＥｙｅ−Ｆｉカード等の通信カード３６を装着することができる。なお、間引き処理部３２は通信カード３６から表示装置６へのデータの転送速度に応じて間引き処理を行う。また、表示画像生成部２８により出力される例えば２４ｆｐｓ等の画像データに対して間引き処理を行わずに転送可能な転送速度である場合には間引き処理部３２による間引き処理を行わなくてもよい。
【００１３】
また、接続検出部３８は、表示装置６が装置本体４に取付けられているか装置本体４から取外されているかを、接続部３０が表示装置６側の接続部６４と接しているか否かにより検出する。電源制御部４０は、電源コネクタ４２にＡＣアダプタ４４が接続されている場合にはＡＣアダプタ４４を介して外部の商用電源から電源を取得しＣＰＵ８に電源を供給する。ＡＣアダプタ４４が接続されていない場合にはバッテリ４６を介して電源を取得しＣＰＵ８に電源を供給する。また、電源制御部４０は、表示装置６が装置本体４に取付けられている場合には接続部３０を介して表示装置６に電源を供給する。なお、ＡＣアダプタ４４が電源コネクタ４２に接続されている場合にはＣＰＵ８や表示装置６に電源を供給する他、バッテリ４６の充電を行ってもよい。
【００１４】
表示装置６は、サブＣＰＵ４８を備え、サブＣＰＵ４８には、静止画の撮像指示を行うレリーズ釦５０、動画データをメモリカード２６へ記憶する動画撮影の開始指示を行うＯＫ釦５２、ライブビュー表示の開始及び終了指示を行うライブビュー釦（ＬＶ釦）５４、装置本体４から出力された画像データの画像を表示するＴＦＴ等により構成される表示端末５６、操作出力部５８、赤外線発光部６０、ＲＦ受信部６２、接続部６４、電源制御部６６が接続されている。
【００１５】
表示装置６が装置本体４に取付けられている場合にはレリーズ釦５０、ＯＫ釦５２、ＬＶ釦５４等における操作指示を操作出力部５８を介して装置本体４へ出力し、装置本体４から取外されている場合にはこれらの操作指示を赤外線発光部６０を介して赤外線を用いて出力する。また、表示装置６が装置本体４に取付けられている場合には接続部６４を介して装置本体４から表示端末５６に表示する画像の画像データを取得し、表示装置６が装置本体４から取外されている場合にはＲＦ受信部６２を介して装置本体４から表示端末５６に表示する画像の画像データを取得する。
【００１６】
また、電源制御部６６は、表示装置６が装置本体４に取付けられている場合には接続部６４を介して装置本体４から電源を取得しサブＣＰＵ４８に供給し、装置本体４から取外されている場合にはバッテリ６８から電源を取得しサブＣＰＵ４８に供給する。なお、表示装置６が装置本体４に取付けられている場合には、電源制御部６６はサブＣＰＵ４８に電源を供給する他、バッテリ６８の充電を行ってもよい。
【００１７】
次に、図２に示すフローチャートを参照して実施の形態に係るカメラの表示装置が装置本体から取外されている場合における動画撮影処理について説明する。表示装置６は、ＬＶ釦５４が操作されるとライブビュー表示開始指示を赤外線発光部６０から出力する（ステップＳ３０）。
【００１８】
装置本体４は、赤外線受光部２２を介してライブビュー表示開始指示を受信すると（ステップＳ１０）、表示画像生成部２８は、撮像素子１２において撮像された被写体光に基づいて生成される画像データの画素数を減少させる等の表示端末５６に画像を表示させるための処理により表示画像データを生成する（ステップＳ１１）。間引き処理部３２は、表示画像データに対して間引き処理を行う（ステップＳ１２）。即ち、通信カードスロット３４に装着された通信カード３６から表示装置６への転送速度に応じて１秒当りのフレーム数を減少させる。ここで、例えば２４ｆｐｓ等の撮像素子１２により撮像される１秒当りのフレーム数を減少させずに転送可能な転送速度を通信カード３６が有する場合には間引き処理を行わなくてもよい。そして、通信カード３６を介して表示装置６へ表示画像データの転送を開始する（ステップＳ１３）。
【００１９】
表示装置６は、ＲＦ受信部６２を介して装置本体４から出力された表示画像データを受信すると（ステップＳ３１）、受信した表示画像データに基づいて画像を表示端末５６において連続表示する（ステップＳ３２）。画像の連続表示中にＯＫ釦５２が操作され動画撮影の開始指示が行われた場合には（ステップＳ３３：Ｙ）、赤外線発光部６０から装置本体４に対して動画撮影の開始指示を出力する（ステップＳ３４）。装置本体４は、赤外線受光部２２を介して動画撮影の開始指示を受信すると（ステップＳ１４：Ｙ）、メモリカード２６に対する動画データの記憶を開始する（ステップＳ１５）。なお、動画データの記憶処理の継続中において通信カード３６を介する装置本体４から表示装置６への表示画像データの転送が不可能となった場合であってもメモリカード２６に対する動画データの記憶処理は継続される。
【００２０】
表示装置６は、ＯＫ釦５２の操作による動画撮影の開始指示が行われない場合には（ステップＳ３３：Ｎ）、表示画像データの画像の表示端末５６への連続表示を継続する。また、装置本体４において動画撮影の開始指示が受信されない場合には（ステップＳ１４：Ｎ）、装置本体４は表示装置６に対する表示画像データの転送を継続する。
【００２１】
表示装置６は、動画データの記憶処理の継続中にレリーズ釦５０の操作によりレリーズ指示が行われると（ステップＳ３５：Ｙ）赤外線発光部６０を介して装置本体４にレリーズ指示を出力する（ステップＳ３６）。一方、レリーズ釦５０の操作によるレリーズ指示が行われない場合には（ステップＳ３５：Ｎ）、ステップＳ３７の処理に進む。装置本体４は、赤外線受光部２２を介してレリーズ指示を受信すると（ステップＳ１６）、レリーズ指示が行われた際に表示端末５６に表示されていた画像について画像処理部１６により出力された画像データを静止画像データとしてメモリカード２６に記憶する（ステップＳ１７）。また、レリーズ指示信号の受信が行われない場合には（ステップＳ１６：Ｎ）、ステップＳ１８の処理に進む。
【００２２】
そして、表示装置６は、ＬＶ釦５４の操作によりライブビューの終了指示が行なわれた場合には（ステップＳ３７：Ｙ）、赤外線送信部６０を介して装置本体４へライブビュー終了指示を出力し（ステップＳ３８）、ライブビューを停止する（ステップＳ３９）。一方、表示装置６は、ＬＶ釦５４の操作によるライブビュー終了指示が行われない場合には（ステップＳ３７：Ｎ）、ステップＳ３５のレリーズ釦５０の操作によるレリーズ指示が行われたか否か判定する処理に戻る。装置本体４は、赤外線受光部２２を介してライブビュー終了指示を受信すると（ステップＳ１８：Ｙ）、通信カード３６を介した表示装置６に対する表示画像データの転送を停止し（ステップＳ１９）、またメモリカード２６への動画の記憶処理を終了する（ステップＳ２０）。
【００２３】
本実施の形態に係るカメラによれば、通信カードの機能を用いて表示画像データの出力を行うことができる。また、装置本体において通信カードを用いていることから、ハードウェア方式の無線装置を用いる場合と比較して装置本体の小型化及び製造コストの抑制が可能となる。
【００２４】
なお、上述の実施の形態においては、メモリカードスロット２４に装着されたメモリカード２６に動画データ等を記憶する構成としたが、装置本体４が動画データ等を記憶する内蔵メモリを備える場合には内蔵メモリに動画データ等を記憶する構成としてもよい。
【００２５】
また、上述の実施の形態においては、メモリカードスロット２４と通信カードスロット３４とを別々の構成としたが、例えばＳＤカード等のメモリカード２６またはＥｙｅ−Ｆｉ等の通信カード３６の何れも装着可能なカードスロットを２つ等複数備える構成としてもよい。例えば、２つのカードスロットを設けたデュアルスロットとした場合においては、２つのカードスロットそれぞれとＣＰＵ８との間に表示画像生成部２８及び間引き処理部３２を設け、通信カード３６が装着された場合のみ表示画像生成部２８及び間引き処理部３２による処理が行われる。また、この場合においては、メモリカード２６及び通信カード３６を何れのカードスロットにも装着することができるため何れのカードスロットであるかをユーザが確認する手間を省くことができる。
【００２６】
また、上述の実施の形態において、ＳＤカード規格であって通信機能を有する通信カード３６を例に説明したが、ＳＤカード規格に限らず他のメモリカードの規格（例えばコンパクトフラッシュ（登録商標）やメモリースティック、ｘＤカード、スマートメディア等）であって通信機能を有する通信カード３６であってもよい。
【００２７】
また、上述の実施の形態において、装置本体４から表示装置６に対して通信カード３６を介した画像データの転送処理の継続中に転送速度の変化を検出した場合には、転送速度の変化に応じて間引き処理部３２により減少させる１秒当りのフレーム数を適宜変化させてもよい。
【符号の説明】
【００２８】
２…カメラ、４…装置本体、６…表示装置、８…ＣＰＵ、１２…撮像素子、２８…表示画像生成部、２４…メモリカードスロット、２６…メモリカード、３４…通信カードスロット、３６…通信カード、３８…接続検出部、５６…表示端末。
【図１】
2011078064.tif 000003
【図２】
2011078064.tif 000004